(57)【要約】【課題】円滑な介護の実施を支援することができるプログラム及び情報処理方法を提供する。【解決手段】本発明に係るプログラムは、介護者又は被介護者が携帯する携帯通信端末に、被介護者毎に予め作成されたケアプランを取得し、取得したケアプランに基づいて、被介護者が受けるべき介護の実施事項５０を前記携帯通信端末の表示部に出力し、該実施事項５０に対応する実施結果の入力を受け付け、受け付けた前記実施結果を、他の装置に送信する処理を実行させることを特徴とする。【選択図】図７
2017091206.tif 000002
【特許請求の範囲】
【請求項１】
介護者又は被介護者が携帯する携帯通信端末に、
被介護者毎に予め作成されたケアプランを取得し、
取得したケアプランに基づいて、被介護者が受けるべき介護の実施事項を前記携帯通信端末の表示部に出力し、
該実施事項に対応する実施結果の入力を受け付け、
受け付けた前記実施結果を、他の装置に送信する
処理を実行させることを特徴とするプログラム。
【請求項２】
前記実施事項を、時系列的に出力する
処理を実行させることを特徴とする請求項１に記載のプログラム。
【請求項３】
前記実施事項を、実施内容に応じて個別に出力する
処理を実行させることを特徴とする請求項１又は請求項２に記載のプログラム。
【請求項４】
前記実施事項に応じた記録項目に対する回答の選択肢を示す複数のオブジェクトを出力し、
該オブジェクトへのタッチ入力に基づき、前記実施結果の入力を受け付ける
処理を実行させることを特徴とする請求項１〜請求項３のいずれか１項に記載のプログラム。
【請求項５】
前記実施事項を、所定のテキスト又はアイコンにより出力し、
該テキスト又はアイコンへの操作入力を受け付けた場合に、前記オブジェクトを含む受付画面を出力し、
該受付画面への操作入力に基づき、前記実施事項に対応する前記実施結果の入力を受け付ける
処理を実行させることを特徴とする請求項４に記載のプログラム。
【請求項６】
前記受付画面に、前記携帯通信端末の撮像部から出力された画像の入力を受け付けるための画像入力欄、又はテキストの入力を受け付けるためのテキスト入力欄を出力する
処理を実行させることを特徴とする請求項５に記載のプログラム。
【請求項７】
前記実施事項を表示する画面と同一の画面に、前記実施事項と対応付けて、前記記録項目のうち一部の記録項目に係る複数の前記オブジェクトを表示し、
該オブジェクトへのタッチ入力に基づき、前記一部の記録項目に関する前記実施結果の入力を受け付け、
前記一部の記録項目以外の他の記録項目に関する前記実施結果は、デフォルトの実施結果に設定する
処理を実行させることを特徴とする請求項４に記載のプログラム。
【請求項８】
介護者又は被介護者が携帯する携帯通信端末を用いた情報処理方法であって、
被介護者毎に予め作成されたケアプランを受信し、
取得したケアプランに基づいて、被介護者が受けるべき介護の実施事項を前記携帯通信端末の表示部に表示し、
該実施事項の実施結果の入力を受け付け、
受け付けた前記実施結果を、他の装置に送信する
ことを特徴とする情報処理方法。
【発明の詳細な説明】
【技術分野】
【０００１】
本発明は、プログラム及び情報処理方法に関する。
【背景技術】
【０００２】
高齢化社会の進展に伴い、介護サービスを受ける被介護者が増加している。介護サービスは、居宅介護支援事業者、介護支援専門員等（以下では支援者という）によって作成されたケアプランに則り、介護事業者等の介護者によって実施されることが多い。
【０００３】
介護者、支援者等の間でのケアプランの共有は、スケジュール用紙、記録用紙等の紙媒体を介して行われる場合が多い。例えば介護者はスケジュール用紙によって実施する実施事項を確認し、実施が完了した後で記録用紙に実施結果を記入する。記録用紙は支援者に返却される。支援者は返却された記録用紙によって被介護者の生活、症状等を把握し、ケアプランを再考する。
【０００４】
特許文献１では、支援者及び介護者等の適切な情報共有を可能にするための情報管理システムが開示されている。特許文献１によれば、介護者が所有しているユーザ端末は、記入済みの記録用紙を撮像等により画像として読み取り、読み取った画像をサーバに送信する。サーバは当該画像を保存し、要求に応じて他のユーザ端末等に送信する。
【先行技術文献】
【特許文献】
【０００５】
【特許文献１】特開２０１４−２１５６８７号公報
【発明の概要】
【発明が解決しようとする課題】
【０００６】
ケアプランの共有が紙媒体を介して行われる場合、例えば記録用紙に記入された実施結果をコンピュータに再入力しなければならなくなる等により、作業負担が過大になる場合が多い。特許文献１では、ユーザ端末及びサーバの通信により情報共有を行うものの、介護者等が紙媒体を介して実施事項を確認し、実施結果を記入した記録用紙を撮像等することで実施結果の入力を行わなければならず、上記の課題を解決しているとはいえない。
【０００７】
本発明は斯かる事情によりなされたものであって、その目的とするところは、円滑な介護の実施を支援することができるプログラム及び情報処理方法を提供することにある。
【課題を解決するための手段】
【０００８】
本発明に係るプログラムは、介護者又は被介護者が携帯する携帯通信端末に、被介護者毎に予め作成されたケアプランを取得し、取得したケアプランに基づいて、被介護者が受けるべき介護の実施事項を前記携帯通信端末の表示部に出力し、該実施事項に対応する実施結果の入力を受け付け、受け付けた前記実施結果を、他の装置に送信する処理を実行させることを特徴とする。
【０００９】
本発明に係るプログラムは、前記実施事項を、時系列的に出力する処理を実行させることを特徴とする。
【００１０】
本発明に係るプログラムは、前記実施事項を、実施内容に応じて個別に出力する処理を実行させることを特徴とする。
【００１１】
本発明に係るプログラムは、前記実施事項に応じた記録項目に対する回答の選択肢を示す複数のオブジェクトを出力し、該オブジェクトへのタッチ入力に基づき、前記実施結果の入力を受け付ける処理を実行させることを特徴とする。
【００１２】
本発明に係るプログラムは、前記実施事項を、所定のテキスト又はアイコンにより出力し、該テキスト又はアイコンへの操作入力を受け付けた場合に、前記オブジェクトを含む受付画面を出力し、該受付画面への操作入力に基づき、前記実施事項に対応する前記実施結果の入力を受け付ける処理を実行させることを特徴とする。
【００１３】
本発明に係るプログラムは、前記受付画面に、前記携帯通信端末の撮像部から出力された画像の入力を受け付けるための画像入力欄、又はテキストの入力を受け付けるためのテキスト入力欄を出力する処理を実行させることを特徴とする。
【００１４】
本発明に係るプログラムは、前記実施事項を表示する画面と同一の画面に、前記実施事項と対応付けて、前記記録項目のうち一部の記録項目に係る複数の前記オブジェクトを表示し、該オブジェクトへのタッチ入力に基づき、前記一部の記録項目に関する前記実施結果の入力を受け付け、前記一部の記録項目以外の他の記録項目に関する前記実施結果は、デフォルトの実施結果に設定する処理を実行させることを特徴とする。
【００１５】
本発明に係る情報処理方法は、介護者又は被介護者が携帯する携帯通信端末を用いた情報処理方法であって、被介護者毎に予め作成されたケアプランを受信し、取得したケアプランに基づいて、被介護者が受けるべき介護の実施事項を前記携帯通信端末の表示部に表示し、該実施事項の実施結果の入力を受け付け、受け付けた前記実施結果を、他の装置に送信することを特徴とする。
【発明の効果】
【００１６】
本発明によれば、円滑な介護の実施を支援することができる。
【図面の簡単な説明】
【００１７】
【図１】情報処理システムの構成例を示す説明図である。
【図２】端末の構成例を示すブロック図である。
【図３】サーバの構成例を示すブロック図である。
【図４】ケアプランＤＢのレコードレイアウトの一例を示す説明図である。
【図５】実施ＤＢのレコードレイアウトの一例を示す説明図である。
【図６】選択画面の一例を示す説明図である。
【図７】実施画面の一例を示す説明図である。
【図８】受付画面の一例を示す説明図である。
【図９】受付画面の一例を示す説明図である。
【図１０】情報処理システムの処理手順の一例を示すフローチャートである。
【図１１】実施結果送信のサブルーチンの処理手順の一例を示すフローチャートである。
【図１２】実施の形態２に係る受付画面の一例を示す説明図である。
【図１３】実施の形態３に係る端末の構成例を示す説明図である。
【図１４】実施の形態３に係るデフォルト設定テーブルのレコードレイアウトの一例を示す説明図である。
【図１５】実施の形態３に係る実施画面の一例を示す説明図である。
【図１６】実施の形態３に係る実施画面の一例を示す説明図である。
【図１７】実施の形態３に係る情報処理システムの処理手順の一例を示すフローチャートである。
【発明を実施するための形態】
【００１８】
以下、本発明をその実施の形態を示す図面に基づいて詳述する。
（実施の形態１）
本実施の形態では、介護の実施を支援する情報処理システムを一例として説明を行う。
図１は、情報処理システムの構成例を示す説明図である。図１では、端末１、１、１…と情報処理装置２とが、ネットワークＮを介して通信接続されている様子を示している。ネットワークＮは、例えばインターネット、ＬＡＮ（Local Area Network）等である。
【００１９】
端末１は、介護を実施する介護者又は介護を受ける被介護者が携帯している携帯通信端末である。端末１は例えば、スマートフォン、タブレット端末、ノート型パーソナルコンピュータ等である。本実施の形態において端末１は、介護者が携帯しているスマートフォンであるものとして説明する。端末１は介護者による操作入力に応じて、被介護者が受けるべき介護の実施事項を表示する。
【００２０】
情報処理装置２は、種々の情報を記憶すると共に、ネットワークＮを介した情報の送受信を行う情報処理装置である。情報処理装置２は、例えばサーバコンピュータ、パーソナルコンピュータ等である。本実施の形態において情報処理装置２はサーバコンピュータであるものとし、サーバ２と読み替える。サーバ２は被介護者毎に予め作成されたケアプランに係る情報を記憶しており、端末１からの要求に応じて当該情報を端末１に送信する。また、サーバ２は端末１から送信される介護の実施結果に係る情報を記憶する。
【００２１】
図２は、端末１の構成例を示すブロック図である。図２に基づいて、端末１の構成について説明する。端末１は、制御部１１、記憶部１２、通信部１３、表示部１４、入力部１５、撮像部１６等を含む。
【００２２】
制御部１１は、ＣＰＵ（Central Processing Unit）又はＭＰＵ（Micro-Processing   Unit）等の演算処理装置を含む。制御部１１は、記憶部１２に記憶されたプログラムＰを読み出して実行することにより、端末１に係る種々の情報処理又は制御処理等を行う。
【００２３】
記憶部１２は、ＲＡＭ（Random Access Memory）、ＲＯＭ（Read Only Memory）等のメモリ素子を含む。記憶部１２は、制御部１１が本実施の形態に係る処理を実行するために必要なプログラムＰ又はデータ等を記憶している。また、記憶部１２は、制御部１１が演算処理を実行するために必要なデータ等を一時的に記憶する。プログラムＰは、予め端末１にインストールされたものであっても、ネットワークＮを介してインストールされたものであってもよい。
【００２４】
通信部１３は、例えばアンテナ及び通信処理を実行するために必要な処理回路等を含む。より詳しくは、例えば携帯電話網、又はＢｌｕｅｔｏｏｔｈ（登録商標）、Ｗｉ−Ｆｉ（登録商標）等の無線ＬＡＮにより通信を行う。なお、本実施の形態において通信部１３の通信方式は上記に限られず、例えば有線ＬＡＮによって行ってもよい。
【００２５】
表示部１４は、例えば液晶ディスプレイ又は有機ＥＬ（Electro Luminescence）ディスプレイ等の画面を有し、制御部１１から与えられた画像を表示する。
【００２６】
入力部１５は例えば、表示部１４に設けられたタッチパネル又は押下式のボタン等である。入力部１５は、ユーザ（介護者等）による操作入力を受け付ける。入力部１５は、ユーザによりなされた操作内容を制御部１１に通知する。
【００２７】
撮像部１６は、例えばＣＣＤ（Charge Coupled Device）イメージセンサ又はＣＭＯＳ（Complementary Metal Oxide Semiconductor）イメージセンサ等を含み、ユーザの操作
に従って撮像処理を行う。撮像された画像に係るアナログ信号は、図示しない処理部によってデジタル信号に変換され、記憶部１２に記憶される。
【００２８】
なお、本実施の形態において端末１は上記の構成に限られず、例えば音声の入力及び出力を行うマイク及びスピーカ等を含んでもよい。
【００２９】
図３は、サーバ２の構成例を示すブロック図である。図３に基づいて、サーバ２の構成について説明する。サーバ２は、制御部２１、記憶部２２、通信部２３、大容量記憶装置２４等を含む。
【００３０】
制御部２１は、ＣＰＵ（Central Processing Unit）又はＭＰＵ（Micro-Processing   Unit）等の演算処理装置を含む。制御部２１は、記憶部２２に記憶されたプログラムを読み出して実行することにより、サーバ２に係る種々の情報処理又は制御処理等を行う。
【００３１】
記憶部２２は、例えばＲＡＭ（Random Access Memory）、ＲＯＭ（Read Only Memory）等のメモリ素子を含む。記憶部２２は、制御部２１が処理を実行するために必要なプログラム又はデータ等を記憶している。また、記憶部２２は、制御部２１が演算処理を実行するために必要なデータ等を一時的に記憶する。
【００３２】
通信部２３は、例えば通信に関する処理を行うための処理回路等を含み、ネットワークＮを介して端末１と情報の送受信を行う。
【００３３】
大容量記憶装置２４は、例えばハードディスク等を含む大容量の記憶装置である。大容量記憶装置２４は、ケアプランＤＢ２４１、実施ＤＢ２４２等を記憶している。ケアプランＤＢ２４１は、介護を受ける被介護者毎に、例えば介護支援専門員等の支援者によって予め作成されたケアプランに関する情報を記憶している。実施ＤＢ２４２は、各被介護者に対して介護を実施した際の実施結果に関する情報を記憶している。
なお、本実施の形態において記憶部２２及び大容量記憶装置２４は一体の記憶装置として構成されていてもよい。また、大容量記憶装置２４は複数の記憶装置により構成されていてもよい。また、大容量記憶装置２４はサーバ２に接続された外部記憶装置であってもよい。
【００３４】
なお、本実施の形態においてサーバ２は上記の構成に限られず、例えば操作入力を受け付ける入力部、サーバ２に係る情報を表示する表示部、可搬型記憶媒体に記憶された情報を読み取る読取部等を含んでもよい。
【００３５】
図４は、ケアプランＤＢ２４１のレコードレイアウトの一例を示す説明図である。ケアプランＤＢ２４１は例えば、ＩＤ列、氏名列、年齢列、性別列、実施事項列、日時列、生活列、健康列、医療列を含む。ＩＤ列は、各被介護者に割り当てられたＩＤを記憶している。氏名列、年齢列及び性別列はそれぞれ、ＩＤと対応付けて、被介護者の氏名、年齢及び性別を記憶している。実施事項列は、ＩＤと対応付けて、被介護者が受けるべき介護の実施事項について記憶している。日時列は、実施事項と対応付けて、各実施事項を実施する日時を記憶している。
【００３６】
生活列、健康列及び医療列はそれぞれ、ＩＤと対応付けて、被介護者の生活、健康及び医療に関する情報を記憶している。図４において記憶内容の詳細な図示は省略するが、生活列は例えば食事、排泄、更衣、歩行、床ずれ等に関する情報を記憶している。健康列は、例えば身長、体重、血圧、心電図、認知、情緒等に関する情報を記憶している。医療列は、例えば持病、服薬、注射、点滴、医療機関等に関する情報を記憶している。
なお、上記で説明したケアプランＤＢ２４１の記憶内容は例示であって、本実施の形態
はこれに限られない。例えばケアプランＤＢ２４１は、被介護者の住所、家族構成、緊急連絡先等を記憶していてもよい。
【００３７】
図５は、実施ＤＢ２４２のレコードレイアウトの一例を示す説明図である。実施ＤＢ２４２は例えば、ＩＤ列、実施事項列、日時列、記録項目列、回答列、画像列、コメント列を含む。ＩＤ列は、各被介護者に割り当てられたＩＤを記憶している。実施事項列は、ＩＤと対応付けて、被介護者に対して実施された介護の実施事項について記憶している。日時列は、ＩＤ及び実施事項と対応付けて、各実施事項を実施した日時を記憶している。記録項目列、回答列、画像列及びコメント列は、ＩＤ、実施事項及び日時と対応付けて、各実施事項を実施した際の実施結果を記憶している。具体的には、記録項目列は実施事項に応じて記録すべき項目を記憶している。なお、本実施の形態において記録項目は、実施事項に応じて記録すべき項目が予め定められているものとする。回答列は、記録項目と対応付けて、各記録項目に対する回答が記憶されている。詳しくは後述するように、回答は記録項目に応じて予め選択肢が定められており、実施結果の入力を行う介護者が回答の選択肢を選択することにより入力される。画像列は、介護者が撮像した画像を記憶している。コメント列は、介護者により入力されたコメントを記憶している。
なお、上記で説明した実施ＤＢ２４２の記憶内容は例示であって、本実施の形態はこれに限られない。例えば実施ＤＢ２４２は、コメント、画像のほかに、介護者によって入力される音声等を記憶していてもよい。
【００３８】
図６は、選択画面３０の一例を示す説明図である。端末１の制御部１１は、例えば所定の操作入力を受け付けた場合に、プログラムＰを読み出し、図６に示す選択画面３０を表示する。以下では、本実施の形態に係る情報処理の概要を説明する。なお、説明の便宜のため端末１の処理主体は制御部１１とし、サーバ２の処理主体は制御部２１とする。
【００３９】
選択画面３０は、介護を実施する被介護者を選択するための表示画面である。図６に示すように、被介護者を選択する選択画面３０では、例えば端末１を携帯している介護者が担当している被介護者に関する被介護者情報３１、３１、３１…が表示されている。被介護者情報３１は例えば被介護者の氏名、年齢、性別等を含む。被介護者情報３１への操作入力を受け付けた場合、制御部１１は選択された被介護者のケアプランの送信をサーバ２に要求する。当該要求を受けたサーバ２の制御部２１はケアプランＤＢ２４１を参照し、選択された被介護者のケアプランを端末１に送信する。端末１の制御部１１はサーバ２からケアプランを受信し、当該ケアプランに基づく実施画面を表示部１４に表示する。
【００４０】
図７は、実施画面４０の一例を示す説明図である。図６で示した被介護者情報３１への操作入力を受け付けた場合、制御部１１は図７で示す実施画面４０を表示する。実施画面４０は、被介護者が受けるべき介護の実施事項、実施した実施事項の履歴等のほか、被介護者に関する生活情報、健康情報、医療情報等を表示する画面である。実施画面４０は例えば、画面上部に表示されるプランボタン４１、一覧ボタン４２、履歴ボタン４３、画面中央に表示されるウインドウ４８、該ウインドウ４８の左側に表示される介護タブ４４、生活タブ４５、健康タブ４６、医療タブ４７、画面右上に表示される送信マーク４９を含む。
【００４１】
本実施の形態において制御部１１は実施画面４０の上部に、画面内容を変更するためのメニュー表示を行う。プランボタン４１、一覧ボタン４２、履歴ボタン４３はメニュー表示される各メニューボタンである。各メニューボタンへの操作入力を受け付けた場合、制御部１１は画面内容を切り換えて表示する。例えばプランボタン４１への操作入力を受け付けた場合、制御部１１はケアプランに基づく介護の実施事項のほか、生活情報等を表示する。一覧ボタン４２への操作入力を受け付けた場合、制御部１１は実施予定の実施事項の一覧を表示する。履歴ボタン４３への操作入力を受け付けた場合、制御部１１は実施し
た実施事項の履歴を表示する。
【００４２】
本実施の形態では、プランボタン４１への操作入力によって、介護の実施事項の表示、介護の実施結果の受付等を行う形態について述べる。図７では、プランボタン４１への操作入力を受け付けたことにより、ケアプランに基づく実施事項を表示している様子を示している。なお、図７ではプランボタン４１への操作入力が行われたことをハッチングにより示している。
【００４３】
介護タブ４４は、ケアプランに基づいて実施すべき実施事項を表示するためのタブである。介護タブ４４への操作入力を受け付けた場合、制御部１１は介護タブ４４をアクティブにする。なお、図７では介護タブ４４がアクティブになっている様子をハッチングにより示している。介護タブ４４をアクティブにした場合、制御部１１は、各実施事項を時系列的に、又は実施内容に応じて個別に、テキスト形式で表示する。具体的には図７に示すように、制御部１１は各実施事項を示すテキストであるイベント５０をウインドウ４８に表示する。なお、制御部１１はイベント５０をテキストではなく、例えばアイコン等で表示してもよい。
【００４４】
制御部１１は、例えば介護者が当日実施すべき実施事項を表示する。なお、本実施の形態において実施事項の表示形式は、一日単位で表示する形式に限るものではなく、例えば一週間単位で表示する形式でもよい。制御部１１は、当日実施すべき実施事項を示すイベント５０を、例えばウインドウ４８下段では時系列的に、ウインドウ４８上段では実施内容に応じて個別に表示する。
【００４５】
制御部１１は、ウインドウ４８下段において各イベント５０を、例えば実施すべき時刻又は時間帯と対応付けて表示する。時系列的に表示するイベント５０は、実施すべき時刻又は時間帯が予め定められている実施事項であり、例えば「食事」「入浴」「リハビリ」等である。一方で制御部１１は、ウインドウ４８上段において、例えばイベント５０を実施内容に応じて個別に表示する。本実施の形態において実施内容に応じて個別に表示するイベント５０は、例えば実施すべき時刻又は時間帯が定められていない実施事項であり、「排泄」等である。なお、図７において個別に表示するイベント５０は「排泄」のみとしたが、そのほかに複数のイベント５０を表示してもよい。
【００４６】
本実施の形態においてウインドウ４８に表示されているイベント５０は、介護の実施結果の入力を受け付けるためのトリガとなっている。詳しくは後述するように、イベント５０へのタッチ等の操作入力を受け付けた場合、制御部１１は、イベント５０が示す実施事項に対応する実施結果の入力を受け付けるための受付画面へと遷移する。
【００４７】
生活タブ４５、健康タブ４６、医療タブ４７はそれぞれ、被介護者の生活情報、健康情報、医療情報を表示するためのタブである。詳細な図示及び説明は省略するが、各タブへの操作入力を受け付けた場合、制御部１１はウインドウ４８の表示を切り換え、各情報を表示する。
【００４８】
図８は、受付画面６０の一例を示す説明図である。図７で示したイベント５０への操作入力を受け付けた場合、制御部１１は図８に示す受付画面６０を表示する。受付画面６０は、例えば実施事項に対応した実施結果の記録項目６１、記録項目６１に対する回答の選択肢を示す回答ボタン６２のほか、画像入力欄６３、テキストボックス６４、確定ボタン６５等を含む。
【００４９】
図７で示した実施画面４０において、「食事」のイベント５０へのタッチ入力が行われた場合を考える。この場合に制御部１１は、例えば図８に示す受付画面６０を表示する。
制御部１１は、当該受付画面６０の上部に実施事項「食事」を表示する。また、制御部１１は当該実施事項「食事」に対応して予め定められた記録項目６１、６１、６１…と、各記録項目６１に対する回答である回答ボタン６２、６２、６２…を表示する。
【００５０】
記録項目６１は、実施した介護の実施事項について記録すべき複数の項目である。例えば実施事項が「食事」である場合、記録項目６１は「可否」「量」等である。なお、上記は例示であって、記録項目６１はこれらの項目に限られない。制御部１１は各記録項目６１について、回答ボタン６２により実施結果の入力を受け付ける。
【００５１】
回答ボタン６２は、記録項目６１に対する回答の選択肢を示すオブジェクトである。具体的には、回答ボタン６２は各記録項目６１に対する回答の選択肢を、タッチ操作可能なボタン形式で表示する。例えば図８に示すように、制御部１１は受付画面６０において回答ボタン６２を記録項目６１の右側に表示する。例えば制御部１１は、「可否」の記録項目６１に対して、「完了」「中止」「拒否」等の回答ボタン６２を表示する。介護者は実施した介護の実施結果に照らして、記録項目６１に対する回答ボタン６２へのタッチ入力を行う。例えば被介護者の体調不良のため「食事」の実施を中止した場合、介護者は「中止」の回答ボタン６２へのタッチ入力を行う。他の記録項目６１及び回答ボタン６２についても同様である。
【００５２】
画像入力欄６３は、端末１の撮像部１６から出力された画像の入力を受け付けるために画面上に表示される入力欄である。例えば制御部１１は画像入力欄６３を記録項目６１の下方に表示する。例えば制御部１１は、画像入力欄６３への操作入力を受け付けた場合に撮像部１６に係るカメラを起動して画像を撮像し、撮像画像の入力を受け付ける。図８における符号６３ａに示すように、画像の入力を受け付けた場合、例えば制御部１１は画像入力欄６３ａに縮小した画像を表示する。
なお、例えば制御部１１は、撮像部１６によって予め撮像され、記憶部１２に記憶された撮像画像の入力を受け付ける構成としてもよい。また、例えば制御部１１は撮像部１６によって撮像された画像だけでなく、他の撮像装置によって撮像された画像を入力可能に構成してもよい。
【００５３】
テキストボックス６４は、テキストの入力を受け付けるための入力欄であり、介護の実施結果について介護者からのコメントの入力を受け付ける。例えば制御部１１はテキストボックス６４を画像入力欄６３の下方に表示する。例えば介護者は、記録項目６１に列記された各項目以外に記録すべき事項がある場合に、テキストボックス６４により自らのコメントを入力する。例えばテキストボックス６４への操作入力を受け付けた場合に、制御部１１は所定形式でテキストの入力を受け付ける。例えば食事の際に被介護者が吐き気を催していた場合、介護者は「吐き気あり」というコメントを入力する。
【００５４】
なお、上記では記録項目６１、回答ボタン６２、画像入力欄６３及びテキストボックス６４により実施結果の入力を受け付けることとしたが、本実施の形態はこれに限られない。例えば制御部１１は、音声入力により実施結果の入力を受け付けることとしてもよい。また、本実施の形態で制御部１１は画像入力欄６３及びテキストボックス６４を表示して画像及びコメントの入力を受け付けることとしたが、画像入力欄６３又はテキストボックス６４を表示し、画像及びコメントのいずれかのみについて入力を受け付ける構成としてもよい。
【００５５】
また、介護者等は介護の各実施事項の実施が完了したか否かを把握することができればよく、滞りなく実施が完了した場合は画像、テキスト等の詳細情報は不要と考える場合もある。そこで、例えば制御部１１は、実施事項を完了した旨を示す「完了」の回答ボタン６２以外の回答ボタン６２（例えば「中止」「拒否」）への操作入力を受け付けた場合に
のみ、その他の詳細な記録項目６１に係る回答ボタン６２、及び画像入力欄６３、テキストボックス６４をアクティブにし、実施結果の詳細について入力を受け付ける構成としてもよい。
【００５６】
実施結果の入力が終了した場合、介護者は、例えば画面右上に表示されている確定ボタン６５への操作入力を行う。確定ボタン６５への操作入力を受け付けた場合、制御部１１は実施結果の入力を確定するものと判断し、受付画面６０の表示を終了して実施画面４０に戻る。
【００５７】
図７に戻って、実施結果の入力を終了した場合、例えば介護者は実施画面４０の右上に表示されている送信マーク４９への操作入力を行う。送信マーク４９への操作入力を受け付けた場合、制御部１１は受け付けた実施結果をサーバ２に送信する。
なお、本実施の形態において制御部１１は、実施画面４０に送信マーク４９を表示し、該送信マーク４９への操作入力によって実施結果をサーバ２に送信することとしたが、本実施の形態はこれに限るものではない。例えば制御部１１は、図８で示した受付画面６０に送信マーク４９を表示し、該送信マーク４９への操作入力を受け付けた場合に実施結果をサーバ２に送信することとしてもよい。
【００５８】
サーバ２の制御部２１は端末１から実施結果を受信する。制御部２１は受信した実施結果を実施ＤＢ２４２に記憶する。これにより、介護の実施結果がサーバ２に格納される。
【００５９】
図９は、受付画面６０の一例を示す説明図である。図９では、図７の実施画面４０において「排泄」のイベント５０への操作入力を受け付けた場合に、制御部１１が表示する受付画面６０を示している。図９に示すように、実施画面４０にウインドウ４８上段に表示された「排泄」のイベント５０についても、イベント５０への操作入力を受け付けた場合、制御部１１は受付画面６０を表示する。図９で示す「排泄」の受付画面６０における処理動作は、図８で示した「食事」の受付画面６０における処理動作と同様であるため、詳細な説明は省略する。図７及び図９に示すように、制御部１１が実施内容に応じて個別に表示する実施事項についても、受付画面６０を表示し、実施結果の入力を受け付けることが可能である。
【００６０】
図１０は、情報処理システムの処理手順の一例を示すフローチャートである。図１０に基づいて、本実施の形態に係る情報処理システムの処理動作について説明する。
端末１の制御部１１は、介護者による所定の操作入力を受け付けた場合にプログラムＰを起動し、図６に示す選択画面３０を表示する。制御部１１は、例えば入力部１５に係る押下式のボタンへの操作入力を受け付けた場合に、一連の処理を終了する。
【００６１】
制御部１１は図６に示す選択画面３０において、被介護者の選択を受け付ける（ステップＳ１１）。例えば制御部１１は選択画面３０に被介護者情報３１、３１、３１…を表示し、被介護者情報３１への操作入力を受け付ける。制御部１１は、選択された被介護者について予め作成されたケアプランに係る情報の送信をサーバ２に要求する要求信号を生成し、サーバ２に送信する（ステップＳ１２）。要求信号は、例えば選択された被介護者のＩＤ等を含む。
【００６２】
サーバ２の制御部２１は、要求信号を受信する（ステップＳ１３）。制御部２１は受信した要求信号に基づいてケアプランＤＢ２４１を参照し、被介護者のケアプランに係る情報を取得する（ステップＳ１４）。例えば制御部２１は、要求信号に含まれる被介護者のＩＤを読み出し、読み出したＩＤと対応付けられた被介護者のケアプランに係る実施事項、実施の日時、生活情報等をケアプランＤＢ２４１から取得する。制御部２１は、取得したケアプランに係る情報を端末１に送信する（ステップＳ１５）。
【００６３】
端末１の制御部１１は、ケアプランに係る情報を受信する（ステップＳ１６）。これにより、制御部１１は被介護者について予め作成されたケアプランを取得する。制御部１１は、ステップＳ１１で選択された被介護者に係る実施画面４０を表示する（ステップＳ１７）。制御部１１は、プランボタン４１への操作入力が行われたか否かを判定する（ステップＳ１８）。プランボタン４１への操作入力が行われていないと判定した場合（Ｓ１８：ＮＯ）、制御部１１は処理を待機する。
【００６４】
プランボタン４１への操作入力が行われたと判定した場合（Ｓ１８：ＹＥＳ）、制御部１１は、介護タブ４４がアクティブになっているか否かを判定する（ステップＳ１９）。詳しくは、介護タブ４４への操作入力が行われたことにより、介護タブ４４がアクティブになっているか否かを判定する。介護タブ４４がアクティブになっていないと判定した場合（Ｓ１９：ＮＯ）、制御部１１は処理を待機する。
【００６５】
介護タブ４４がアクティブになっていると判定した場合（Ｓ１９：ＹＥＳ）、制御部１１は、取得したケアプランに基づいて、被介護者が受けるべき介護の実施事項を表示部１４に表示する（ステップＳ２０）。具体的には、制御部１１はウインドウ４８に実施事項をイベント５０として、時系列的に、又は実施内容に応じて個別に、テキスト形式で表示する。なお、イベント５０の表示形式はテキストに限られず、アイコン等でもよい。
【００６６】
制御部１１は、介護者による介護の実施結果に係る情報を、サーバ２に送信するか否かを判定する（ステップＳ２１）。例えば制御部１１は、送信マーク４９への操作入力を受け付けたか否かにより判定を行う。実施結果に係る情報をサーバ２に送信しないと判定した場合（Ｓ２１：ＮＯ）、制御部１１は処理をステップＳ２３に移行する。
【００６７】
実施結果に係る情報をサーバ２に送信すると判定した場合（Ｓ２１：ＹＥＳ）、制御部１１は実施結果に係る情報をサーバ２に送信する処理を実行する（ステップＳ２２）。制御部１１は、実施事項を示すテキストへの操作入力を受け付けたか否かを判定する（ステップＳ２３）。具体的には、ウインドウ４８においてテキスト表示されているイベント５０への操作入力を受け付けたか否かにより判定を行う。テキストへの操作入力を受け付けていないと判定した場合（Ｓ２３：ＮＯ）、制御部１１は処理をステップＳ２１に戻す。
【００６８】
テキストへの操作入力を受け付けたと判定した場合（Ｓ２３：ＹＥＳ）、制御部１１は、実施結果の入力を受け付ける受付画面６０に画面を切り換えて表示する（ステップＳ２４）。例えば受付画面６０は、実施事項に応じて記録すべき記録項目６１、６１、６１…と、各記録項目６１に対する回答の選択肢を示す回答ボタン６２、６２、６２…とを含む。制御部１１は、受付画面６０への操作入力に基づき、実施事項に対応する実施結果の入力を受け付ける（ステップＳ２５）。例えば制御部１１は、受付画面６０に表示された回答ボタン６２へのタッチ入力に基づき、実施結果の入力を受け付ける。また、例えば制御部１１は画像入力欄６３又はテキストボックス６４への操作入力に基づき、画像又はテキストの入力を受け付ける。
【００６９】
制御部１１は、実施結果の入力を確定するか否かを判定する（ステップＳ２６）。例えば制御部１１は、確定ボタン６５への操作入力を受け付けたか否かにより判定を行う。実施結果の入力を確定しないと判定した場合（Ｓ２６：ＮＯ）、制御部１１は処理をステップＳ２５に戻す。実施結果の入力を確定すると判定した場合（Ｓ２６：ＹＥＳ）、制御部１１は処理をステップＳ１９に戻す。
【００７０】
図１１は、実施結果送信のサブルーチンの処理手順の一例を示すフローチャートである。図１１に基づき、ステップＳ２２の実施結果送信のサブルーチンについて説明する。
端末１の制御部１１は、実施結果を示す信号をサーバ２に送信する（ステップＳ５１）。当該信号は、例えば被介護者のＩＤ、実施事項、日時、記録項目、回答、画像、コメント等を含む。
【００７１】
サーバ２の制御部２１は、実施結果を示す信号を受信する（ステップＳ５２）。制御部２１は、実施結果を実施ＤＢ２４２に記憶する（ステップＳ５３）。例えば制御部２１は、受信した信号が示すＩＤ、実施事項、回答等の各情報を対応付けて、実施ＤＢ２４２に記憶する。
【００７２】
なお、本実施の形態の受付画面６０において、実施事項に関して記録すべき記録項目６１と、記録項目６１に対する回答の選択肢を示すオブジェクトである回答ボタン６２とが表示されるものとしたが、本実施の形態はこれに限るものではない。例えば記録項目６１を表示せずとも介護者が記録すべき内容を把握できるのであれば、制御部１１は記録項目６１を表示せずともよい。
【００７３】
また、本実施の形態において端末１は介護者が携帯している携帯通信端末であるものとし、介護者が一連の操作を行うものとしたが、本実施の形態はこれに限るものではない。例えば端末１の所有者及び操作者は介護を受ける被介護者であってもよい。つまり介護を受ける被介護者が端末１で各実施事項を確認し、自ら実施結果を入力する形態でもよい。
【００７４】
また、本実施の形態では、制御部１１はケアプランに基づき、実施が予定されている実施事項に関して実施結果の入力を受け付ける形態について述べたが、本実施の形態はこれに限るものではない。例えば制御部１１は、臨時で実施することとなった実施事項（以下では臨時実施事項という）についても実施結果の入力を受け付ける構成としてもよい。
例えば支援者等が臨時実施事項に係るケアプラン（以下では臨時ケアプランという）を新たに作成した場合、端末１の制御部１１は、サーバ２等より臨時ケアプランを取得する。制御部１１は、例えば図７で示した一覧ボタン４２への操作入力を受け付けた場合に、当初より実施予定の実施事項と共に、臨時実施事項を所定のテキスト又はアイコンによって表示する。例えば当該テキスト又はアイコンへの操作入力を受け付けた場合、制御部１１は実施結果の入力を受け付ける所定画面を表示し、実施結果の入力を受け付ける。
また、臨時ケアプランによらず、介護者等が突発的に実施した臨時実施事項に関しても実施結果の入力を受け付ける構成としてもよい。例えば上記と同様に一覧ボタン４２への操作入力を受け付けた場合、制御部１１は、臨時で実施する可能性が高いとしてデフォルト設定されている臨時実施事項（例えば「排泄」「服薬」等）を、所定のテキスト又はアイコンにより表示する。上記と同様に、例えば当該テキスト又はアイコンへの操作入力を受け付けた場合に、制御部１１は実施結果の入力を受け付ける所定画面を表示する。
【００７５】
以上より、本実施の形態１によれば、携帯通信端末である端末１は、ケアプランに基づいて被介護者が受けるべき介護の実施事項を表示すると共に、実施結果の入力を受け付け、受け付けた実施結果をサーバ２に送信する。これにより、介護者は携帯している端末１で実施事項を確認しつつ、介護を行うことができる。また、介護実施後は端末１に実施結果を入力し、サーバ２へと送信するため、例えば従来のように記録用紙に記載された実施結果をコンピュータに再入力する、記録用紙を撮像する等の作業負担を解消することができる。よって、円滑な介護の実施を支援することができる。
【００７６】
また、本実施の形態１によれば、端末１は実施事項を時系列的に表示する。これにより、介護者は介護実施に係るスケジュール管理を容易にすることができる。
【００７７】
また、本実施の形態１によれば、端末１は実施事項を実施内容に応じて個別に表示する。これにより、介護者は例えば実施時間が予め定めることができないような実施事項も確
認することができる。
【００７８】
また、本実施の形態１によれば、端末１は実施事項をテキスト等により表示し、当該テキストへの操作入力によって、実施結果の入力を受け付ける受付画面６０を表示する。これにより、介護者は実施画面４０で各実施事項を確認しながら、実施後は簡便な動作で受付画面６０へと遷移し、実施結果を入力することができる。
【００７９】
また、本実施の形態１によれば、端末１は受付画面６０に実施事項の記録項目６１に対する回答ボタン６２を表示し、回答ボタン６２へのタッチ入力によって実施結果の入力を受け付ける。これにより、介護者はタッチ操作によって簡便に実施結果を入力することができる。
【００８０】
また、本実施の形態１によれば、端末１は受付画面６０に画像入力欄６３及びテキストボックス６４を表示し、画像入力欄６３及びテキストボックス６４への操作入力に基づいて画像及びコメントの入力を受け付ける。これにより、介護者は予め用意された形式の回答だけでなく、画像及びテキストによる実施結果の入力を行うことができる。
【００８１】
（実施の形態２）
実施の形態１では、端末１は、受付画面６０に表示する回答ボタン６２へのタッチ入力により実施結果の入力を受け付ける形態について述べた。本実施の形態では、端末１は、受付画面２６０に表示するチェックボックス２６２への操作入力により実施結果の入力を受け付ける形態について述べる。なお、実施の形態１と重複する内容については同一の符号を付して説明を省略する。
【００８２】
図１２は、実施の形態２に係る受付画面２６０の一例を示す説明図である。図１２に示すように、本実施の形態において端末１の制御部１１は受付画面２６０に、実施した介護の実施事項に応じて記録すべき記録事項６１を表示する。また、制御部１１は、当該記録事項６１に対する回答の選択肢を、チェックボックス２６２により表示する。チェックボックス２６２は、例えば回答の選択肢を示すテキストと共に、チェックを入れる矩形枠によって示されるオブジェクトである。チェックボックス２６２へのタッチ入力を受け付けた場合、図１２に示すように、制御部１１はタッチされたチェックボックス２６２にチェックを入れて表示する。また、チェックボックス２６２へのタッチ入力を受け付けた場合、制御部１１は当該チェックボックス２６２に係るテキストが示す回答が実施結果として選択されたものと判断することで、実施結果の入力を受け付ける。
【００８３】
なお、制御部１１は、実施の形態１では回答ボタン６２へのタッチ入力に基づいて、本実施の形態ではチェックボックス２６２へのタッチ入力に基づいて実施結果の入力を受け付けることとしたが、本実施の形態はこれに限るものではなく、別形式のオブジェクトにより実施結果の入力を受け付けることとしてもよい。つまり受付画面２６０は、オブジェクトへのタッチ操作により実施結果の入力を受け付ける構成であればよい。
【００８４】
以上より、本実施の形態２によれば、端末１は受付画面２６０に、介護の実施事項に応じた記録項目６１に対する回答の選択肢を、チェックボックス２６２として表示する。端末１は、チェックボックス２６２へのタッチ入力に基づいて、実施結果の入力を受け付ける。従って端末１は、実施の形態１に係る回答ボタン６２とは別形式のオブジェクトによってもタッチ入力による実施結果の入力を受け付けることができる。
【００８５】
（実施の形態３）
実施の形態１では、端末１は受付画面６０において介護の実施事項に対応した実施結果の入力を受け付ける形態について述べた。本実施の形態では、端末１は実施画面３４０に
おいて実施結果の入力を受け付ける形態について述べる。なお、実施の形態１と重複する内容については同一の符号を付して説明を省略する。
【００８６】
図１３は、実施の形態３に係る端末１の構成例を示す説明図である。例えば図１３に示すように、本実施の形態に係る端末１は記憶部１２に、デフォルト設定テーブル１２１を記憶している。デフォルト設定テーブル１２１は、実施事項に応じて記録すべき記録項目のうち一部の記録項目に関して実施結果の入力を受け付けた場合に、他の記録項目に関する実施結果をデフォルトの実施結果に設定するためのテーブルである。なお、デフォルト設定テーブル１２１はプログラムＰと同様に、端末１に予めインストールされたものであっても、ネットワークＮを介してインストールされたものであってもよい。
【００８７】
図１４は、実施の形態３に係るデフォルト設定テーブル１２１のレコードレイアウトの一例を示す説明図である。デフォルト設定テーブル１２１は例えば、実施事項列、属性列、可否列、詳細項目列、回答列を記憶している。実施事項列は、介護の実施事項を記憶している。属性列は、実施事項と対応付けて、各実施事項における属性のサンプルを記憶している。例えば実施事項「排泄」に対し、属性「通常型」「便秘型」等を記憶している。可否列は、実施事項及び属性と対応付けて、実施の可否を記憶している。詳細項目列は、実施事項、属性及び可否と対応付けて、実施の可否以外の詳細な記録項目を記憶している。回答列は、実施事項、属性、可否及び詳細項目と対応付けて、各詳細項目に対する属性毎のデフォルトの実施結果を示す回答を記憶している。例えば実施事項「排泄」について属性が「通常型」である場合に、実施の可否が「完了」である場合は、詳細項目「排便」に対する回答は「普通」となる。
【００８８】
図１５及び図１６は、実施の形態３に係る実施画面３４０の一例を示す説明図である。図１５及び図１６に基づいて、本実施の形態に係る情報処理システムの処理動作の概要について述べる。
端末１の制御部１１は、プランボタン４１への操作入力を受け付け、介護タブ４４への操作入力を受け付けた場合に、図１５に示す実施画面３４０を表示する。図１５に示すように、制御部１１はウインドウ４８にイベント５０を表示すると共に、イベント５０で示す実施事項に対応した実施結果に係る回答の選択肢を示す回答ボタン３６２を表示する。本実施の形態において制御部１１は、例えばイベント５０で示す実施事項の実施の可否を受け付ける回答ボタン３６２を表示する。例えば実施事項が「食事」である場合、制御部１１は「完了」「中止」「拒否」の回答ボタン３６２を表示する。制御部１１は回答ボタン３６２へのタッチ入力に基づいて実施結果の入力を受け付ける。
【００８９】
例えばケアプランに基づく介護の実施にあたって、介護者は各実施事項の実施可否のみを把握できればよく、詳細な実施結果は把握せずともよい場合がある。また、各実施事項（例えば「食事」）について、各被介護者における詳細な記録項目（例えば「量」）は日々の変化が少ない場合が多い。そこで本実施の形態では、「食事」「排泄」「入浴」等の各実施事項について、被介護者の属性を初期設定しておく。例えば端末１の制御部１１は、所定の設定画面より被介護者の属性に係る初期設定を受け付ける。制御部１１は、受け付けた被介護者の属性を、例えば被介護者のＩＤと対応付けて記憶部１２に記憶しておく。なお、例えばサーバ２がケアプランＤＢ２４１に、被介護者のＩＤと対応付けて属性を記憶しておく構成でもよい。
【００９０】
実施画面３４０において回答ボタン３６２へのタッチ入力を受け付ける場合に、例えば制御部１１は、当該タッチ入力が軽いタッチ入力であるか否かを判定する。具体的には、入力部１５に係るタッチパネルにユーザの指等によるタッチ入力を受け付けた場合、制御部１１は当該タッチパネルによりタッチ入力の強さを検知する。制御部１１は当該タッチ入力の強さが所定の閾値以下の強さである場合に、軽いタッチ入力であると判定する。
【００９１】
回答ボタン３６２へのタッチ入力が軽いタッチ入力であると判定した場合、当該タッチ入力中において、図１６に示すように、制御部１１はタッチ入力されている回答ボタン３６２下方に、詳細項目に係るデフォルトの回答３６２ａ及び回答候補３６２ｂを表示する。例えば図１６に示すように、「食事」のイベント５０について「完了」の回答ボタン３６２へのタッチ入力を受け付けた場合、制御部１１は回答ボタン３６２の下方に、「完食」「不食」等のデフォルトの回答３６２ａ及び回答候補３６２ｂを薄く表示する。なお図１６では、「完了」の回答ボタン３６２へのタッチ入力を受け付けた様子をハッチングにより示し、「完食」「不食」等のデフォルトの回答３６２ａ及び回答候補３６２ｂが薄く表示されている様子を破線により示している。なお制御部１１は、デフォルトの回答３６２ａがデフォルト設定される実施結果であることをユーザが認識可能なように、例えばデフォルトの回答３６２ａをその他の回答候補３６２ｂよりも濃く表示する。
【００９２】
回答ボタン３６２への軽いタッチ入力を受け付けた場合、デフォルト設定テーブル１２１を参照し、当該タッチ入力中に、詳細項目に係るデフォルトの実施結果を薄く表示する。例えば図１６で示した例では、実施事項が「食事」であり、実施の可否が「完了」である場合、詳細項目についてデフォルト設定される実施結果は「完食」となる（図１４参照）。そこで制御部１１は、デフォルトの回答３６２ａである「完食」及びその他の回答候補３６２ｂである「不食」等を薄く表示する。また、「完食」がデフォルトの実施結果であることがユーザにわかるように、制御部１１は「完食」を「不食」よりも濃く表示する。これにより、ユーザ（介護者等）は回答ボタン３６２に軽くタッチすることにより、詳細項目に係るデフォルトの実施結果を確認することができる。
なお、例えば薄く表示されている回答候補３６２ｂへのタッチ入力を受け付けることにより、制御部１１は詳細項目に関する実施結果の回答を変更可能なように構成してもよい。
【００９３】
例えば制御部１１は、回答ボタン３６２へのタッチ入力が軽いタッチ入力でないと判定した場合、つまり当該タッチ入力が強いタッチ入力である場合に、タッチされた回答ボタン３６２により実施結果の入力を受け付けたものと判断し、デフォルトの実施結果を設定する。
【００９４】
送信マーク４９への操作入力を受け付けた場合、制御部１１は回答ボタン３６２により入力を受け付けた実施結果及び設定したデフォルトの実施結果を、サーバ２に送信する。
【００９５】
なお、本実施の形態で制御部１１は実施の可否のみを受け付けることとしたが、上記は例示であって、受け付ける記録項目は実施の可否に限定されない。制御部１１は他の記録項目についても回答ボタン３６２を表示し、実施結果の入力を受け付けることとしてもよい。
【００９６】
また、本実施の形態において制御部１１は、ユーザ（介護者等）の操作入力に従い、実施結果のデフォルト設定について処理内容を変更可能とする構成としてもよい。つまり制御部１１は、実施結果のデフォルト設定について、被介護者毎に詳細な個人設定を受け付ける構成としてもよい。この場合、例えば制御部１１は設定変更に係る情報を記憶部１２に記憶しておき、実施結果のデフォルト設定をする場合に、当該情報を参照して設定を行う。
【００９７】
図１７は、実施の形態３に係る情報処理システムの処理手順の一例を示すフローチャートである。図１７に基づいて、本実施の形態に係る情報処理システムの処理内容について説明する。なお、実施の形態１と重複する内容については同一の符号を付して説明を省略する。
【００９８】
介護タブ４４がアクティブになっていると判定した場合（Ｓ１９：ＹＥＳ）、本実施の形態に係る情報処理システムは以下の処理を実行する。端末１の制御部１１は、取得したケアプランに基づいて、被介護者が受けるべき介護の実施事項を表示部１４に表示する（ステップＳ３０１）。例えば制御部１１はウインドウ４８に、実施事項を示すイベント５０と、該イベント５０に対応した回答の選択肢を示す回答ボタン３６２を表示する。
【００９９】
制御部１１は、回答ボタン３６２へのタッチ入力を受け付けたか否かを判定する（ステップＳ３０２）。回答ボタン３６２へのタッチ入力を受け付けていないと判定した場合（Ｓ３０２：ＮＯ）、制御部１１は処理をステップＳ２１に移行する。
【０１００】
タッチ入力を受け付けたと判定した場合（Ｓ３０２：ＹＥＳ）、制御部１１は、当該タッチ入力が軽いタッチ入力であるか否かを判定する（ステップＳ３０３）。詳しくは、制御部１１は入力部１５に係るタッチパネルへのタッチ入力の強さを検知し、該タッチ入力の強さが所定の閾値以下であるか否かにより判定を行う。
【０１０１】
当該タッチ入力が軽いタッチ入力であると判定した場合（Ｓ３０３：ＹＥＳ）、制御部１１はステップＳ３０２で受け付けた一部の記録項目以外の、他の記録項目に関するデフォルトの実施結果を表示する（ステップＳ３０４）。例えば制御部１１は、図１７で示したように、デフォルトの回答３６２ａ及び回答候補３６２ｂを回答ボタン３６２よりも薄く表示する。また、例えば制御部１１は、デフォルトの回答３６２ａを回答候補３６２ｂよりも濃く表示する。制御部１１は、処理をステップＳ２１に移行する。
【０１０２】
当該タッチ入力が軽いタッチ入力でないと判定した場合（Ｓ３０３：ＮＯ）、つまり強いタッチ入力を受け付けたと判定した場合、制御部１１は当該タッチ入力により、実施事項に応じて記録すべき記録項目のうち、一部の記録項目に係る実施結果の入力を受け付ける（ステップＳ３０５）。つまり制御部１１は、回答ボタン３６２への強いタッチ入力を受け付けることで、実施の可否に関する実施結果の入力を受け付ける。制御部１１は、ステップＳ３０５で受け付けた一部の記録項目以外の、他の記録項目に関する実施結果を、デフォルトの実施結果に設定する（ステップＳ３０６）。例えば制御部１１はデフォルト設定テーブル１２１を参照し、ステップＳ３０５で受け付けた実施の可否に基づき、その他の記録項目に関する実施結果をデフォルトの実施結果に設定する。制御部１１は、処理をステップＳ２１に移行する。
【０１０３】
以上より、本実施の形態３によれば、端末１は介護の実施事項を示すイベント５０と、イベント５０が示す実施事項に対応した実施結果を入力するための回答ボタン３６２を同一画面に表示し、回答ボタン３６２へのタッチ入力に基づいて実施結果の入力を受け付ける。これにより、介護者は受付画面６０に画面を変更せずとも実施結果の入力を行うことができ、実施事項の確認及び実施結果の入力を同時に行うことができる。
【０１０４】
また、本実施の形態３によれば、実施事項に応じて記録すべき記録項目のうち一部の記録項目に係る回答ボタン３６２を表示し、回答ボタン３６２へのタッチ入力に基づき、当該一部の記録項目に関する実施結果の入力を受け付け、当該一部の記録項目以外の他の記録項目に関する実施結果は、デフォルトの実施結果に設定する。これにより、介護者は最低限記録が必要な記録項目についてのみ実施結果を入力すればよいため、実施結果の入力を簡素化することができる。
【０１０５】
また、本実施の形態３によれば、端末１は記憶部１２に、実施事項、属性、可否等と対応付けてデフォルトの実施結果を格納したデフォルト設定テーブル１２１を記憶している。端末１に係る制御部１１は、実施の可否を受け付けた場合、デフォルト設定テーブル１
２１を参照し、詳細項目に関する実施結果をデフォルトの実施結果に設定する。これにより、介護者は端末１において実施の可否のみを入力すればよく、詳細項目に関しては実施結果を入力する必要がない。
【０１０６】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【０１０７】
１  端末（携帯通信端末）
１１  制御部
１２  記憶部
１２１  デフォルト設定テーブル
１３  通信部
１４  表示部
１５  入力部
１６  撮像部
２  サーバ（情報処理装置）
２１  制御部
２２  記憶部
２３  通信部
２４  大容量記憶装置
２４１  ケアプランＤＢ
２４２  実施ＤＢ
３０  選択画面
３１  被介護者情報
４０、３４０  実施画面
４１  プランボタン
４２  一覧ボタン
４３  履歴ボタン
４４  介護タブ
４５  生活タブ
４６  健康タブ
４７  医療タブ
４８  ウインドウ
４９  送信マーク
５０  イベント（実施事項）
６０、２６０  受付画面
６１  記録項目
６２、３６２  回答ボタン（オブジェクト）
３６２ａ  デフォルトの回答
３６２ｂ  回答候補
２６２  チェックボックス（オブジェクト）
６３  画像入力欄
６４  テキストボックス
６５  確定ボタン
【図１】
2017091206.tif 000003
【図２】
2017091206.tif 000004
【図３】
2017091206.tif 000005
【図４】
2017091206.tif 000006
【図５】
2017091206.tif 000007
【図６】
2017091206.tif 000008
【図７】
2017091206.tif 000009
【図８】
2017091206.tif 000010
【図９】
2017091206.tif 000011
【図１０】
2017091206.tif 000012
【図１１】
2017091206.tif 000013
【図１２】
2017091206.tif 000014
【図１３】
2017091206.tif 000015
【図１４】
2017091206.tif 000016
【図１５】
2017091206.tif 000017
【図１６】
2017091206.tif 000018
【図１７】
2017091206.tif 000019